【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】  越流堰を可動とした雨水吐室を備えることを特徴とする下水排除システム。
【請求項２】  データ計測手段と、該データ計測手段で計測したデータに応じて前記越流堰の高さを調節する高さ調節手段とを備えることを特徴とする請求項１記載の下水排除システム。
【請求項３】  データ計測手段と、該データ計測手段で計測したデータを積算するデータ積算手段と、該データ積算手段で積算した積算値に応じて前記越流堰の高さを調節する高さ調節手段とを備えることを特徴とする請求項１記載の下水排除システム。
【請求項４】  前記データ計測手段が、雨水吐室に流入する下水、雨水吐室から越流する下水、雨水吐室に接続した遮集管を流れる下水、または雨水吐室から下水が越流する河川のうちの少なくとも１つの水中の汚濁負荷量を計測する手段であることを特徴とする請求項２または３記載の下水排除システム。
【請求項５】  前記データ計測手段が、雨水吐室に流入する下水、雨水吐室から越流する下水、雨水吐室に接続した遮集管を流れる下水、または雨水吐室から下水が越流する河川のうちの少なくとも１つの水の流量を計測する手段であることを特徴とする請求項２または３記載の下水排除システム。
【請求項６】  前記データ計測手段が、雨水吐室に流入する下水、雨水吐室から越流する下水、雨水吐室に接続した遮集管を流れる下水、または雨水吐室から下水が越流する河川のうちの少なくとも１つの水中の汚濁物質濃度を計測する手段であることを特徴とする請求項２または３記載の下水排除システム。
【手続補正２】
【補正対象書類名】明細書
【補正対象項目名】００１２
【補正方法】変更
【補正の内容】
【００１２】
本発明の請求項４にかかわる下水排除システムは、請求項２または３におけるデータ計測手段を、雨水吐室に流入する下水、雨水吐室から越流する下水、雨水吐室に接続した遮集管を流れる下水、または雨水吐室から下水が越流する河川のうちの少なくとも１つの水中の汚濁負荷量を計測する手段とするものである。
【手続補正３】
【補正対象書類名】明細書
【補正対象項目名】００１３
【補正方法】変更
【補正の内容】
【００１３】
本発明の請求項５にかかわる下水排除システムは、請求項２または３におけるデータ計測手段を、雨水吐室に流入する下水、雨水吐室から越流する下水、雨水吐室に接続した遮集管を流れる下水、または雨水吐室から下水が越流する河川のうちの少なくとも１つの水の流量を計測する手段とするものである。
【手続補正４】
【補正対象書類名】明細書
【補正対象項目名】００１４
【補正方法】変更
【補正の内容】
【００１４】
本発明の請求項６にかかわる下水排除システムは、請求項２または３におけるデータ計測手段を、雨水吐室に流入する下水、雨水吐室から越流する下水、雨水吐室に接続した遮集管を流れる下水、または雨水吐室から下水が越流する河川のうちの少なくとも１つの水中の汚濁物質濃度を計測する手段とするものである。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００３６
【補正方法】変更
【補正の内容】
【００３６】
実施の形態３
本発明の請求項１、２、４にかかわる実施の形態を図２に基づいて説明する。図２は実施の形態３にかかわる下水排除システムを示す構成図である。
【手続補正１５】
【補正対象書類名】明細書
【補正対象項目名】００４４
【補正方法】変更
【補正の内容】
【００４４】
実施の形態４
本発明の請求項１、２、４にかかわる他の実施の形態を図２に基づいて説明する。本実施の形態４におけるシステムの構成は図２に示す実施の形態３と同様である。また、動作も実施の形態３とほぼ同様であるが、コントローラ１０の動作が若干異なる。
【手続補正１６】
【補正対象書類名】明細書
【補正対象項目名】００４８
【補正方法】変更
【補正の内容】
【００４８】
実施の形態５
本発明の請求項１、２、４にかかわる実施の形態を図３に基づいて説明する。図３は実施の形態５にかかわる下水排除システムを示す構成図である。
【手続補正１７】
【補正対象書類名】明細書
【補正対象項目名】００５６
【補正方法】変更
【補正の内容】
【００５６】
実施の形態６
本発明の請求項１、２、４にかかわる他の実施の形態を図３に基づいて説明する。本実施の形態６におけるシステムの構成は図３に示す実施の形態５と同様である。また、動作も実施の形態５とほぼ同様であるが、コントローラ１０の動作が若干異なる。
【手続補正１８】
【補正対象書類名】明細書
【補正対象項目名】００６０
【補正方法】変更
【補正の内容】
【００６０】
実施の形態７
本発明の請求項１、２、４にかかわる実施の形態を図４に基づいて説明する。図４は実施の形態７にかかわる下水排除システムを示す構成図である。
【手続補正１９】
【補正対象書類名】明細書
【補正対象項目名】００６８
【補正方法】変更
【補正の内容】
【００６８】
実施の形態８
本発明の請求項１、２、４にかかわる他の実施の形態を図４に基づいて説明する。本実施の形態８におけるシステムの構成は図４に示す実施の形態７と同様である。また、動作も実施の形態７とほぼ同様であるが、コントローラ１０の動作が若干異なる。
【手続補正２０】
【補正対象書類名】明細書
【補正対象項目名】００７２
【補正方法】変更
【補正の内容】
【００７２】
実施の形態９
本発明の請求項１、２、５にかかわる実施の形態を図５に基づいて説明する。図５は実施の形態９にかかわる下水排除システムを示す構成図である。
【手続補正２１】
【補正対象書類名】明細書
【補正対象項目名】００７８
【補正方法】変更
【補正の内容】
【００７８】
実施の形態１０
本発明の請求項１、２、５にかかわる他の実施の形態を説明する。本実施の形態１０におけるシステムの構成は図５に示す実施の形態９と同様である。また、動作も実施の形態９と同様であるが、コントローラ１０の動作が若干異なる。
【手続補正２２】
【補正対象書類名】明細書
【補正対象項目名】００８２
【補正方法】変更
【補正の内容】
【００８２】
実施の形態１１
本発明の請求項１、２、５にかかわる実施の形態を図６に基づいて説明する。図６は実施の形態１１にかかわる下水排除システムを示す構成図である。
【手続補正２３】
【補正対象書類名】明細書
【補正対象項目名】００８７
【補正方法】変更
【補正の内容】
【００８７】
実施の形態１２
本発明の請求項１、２、５にかかわる他の実施の形態を説明する。本実施の形態１２におけるシステムの構成は図６に示す実施の形態１１と同様である。また、動作も実施の形態１１と同様であるが、コントローラ１０の動作が若干異なる。
【手続補正２４】
【補正対象書類名】明細書
【補正対象項目名】００９１
【補正方法】変更
【補正の内容】
【００９１】
実施の形態１３
本発明の請求項１、２、５にかかわる実施の形態を図７に基づいて説明する。図７は実施の形態１３にかかわる下水排除システムを示す構成図である。
【手続補正２５】
【補正対象書類名】明細書
【補正対象項目名】００９６
【補正方法】変更
【補正の内容】
【００９６】
実施の形態１４
本発明の請求項１、２、５にかかわる実施の形態を図８に基づいて説明する。図８は実施の形態１４にかかわる下水排除システムを示す構成図である。
【手続補正２６】
【補正対象書類名】明細書
【補正対象項目名】０１０１
【補正方法】変更
【補正の内容】
【０１０１】
実施の形態１５
本発明の請求項１、２、５にかかわる他の実施の形態を図８に基づいて説明する。本実施の形態１５におけるシステムの構成は図８に示す実施の形態１４と同様である。また、動作も実施の形態１４とほぼ同様であるが、コントローラ１０の動作が若干異なる。
【手続補正２７】
【補正対象書類名】明細書
【補正対象項目名】０１０５
【補正方法】変更
【補正の内容】
【０１０５】
実施の形態１６
本発明の請求項１、２、６にかかわる実施の形態を図９に基づいて説明する。図９は実施の形態１６にかかわる下水排除システムを示す構成図である。
【手続補正２８】
【補正対象書類名】明細書
【補正対象項目名】０１１１
【補正方法】変更
【補正の内容】
【０１１１】
実施の形態１７
本発明の請求項１、２、６にかかわる他の実施の形態を図９に基づいて説明する。本実施の形態１７におけるシステムの構成は図９と同様である。また、動作も実施の形態１６と同様であるが、コントローラ１０の動作が若干異なる。
【手続補正２９】
【補正対象書類名】明細書
【補正対象項目名】０１１５
【補正方法】変更
【補正の内容】
【０１１５】
実施の形態１８
本発明の請求項１、２、６にかかわる他の実施の形態を図１０に基づいて説明する。図１０は実施の形態１８にかかわる下水排除システムを示す構成図である。
【手続補正３０】
【補正対象書類名】明細書
【補正対象項目名】０１２０
【補正方法】変更
【補正の内容】
【０１２０】
実施の形態１９
本発明の請求項１、２、６にかかわる他の実施の形態を説明する。本実施の形態１９におけるシステムの構成は図１０に示す実施の形態１８と同様である。また、動作も実施の形態１８と同様であるが、コントローラ１０の動作が若干異なる。
【手続補正３１】
【補正対象書類名】明細書
【補正対象項目名】０１２４
【補正方法】変更
【補正の内容】
【０１２４】
実施の形態２０
本発明の請求項１、２、６にかかわる実施の形態を図１１に基づいて説明する。図１１は実施の形態２０にかかわる下水排除システムを示す構成図である。
【手続補正３２】
【補正対象書類名】明細書
【補正対象項目名】０１２９
【補正方法】変更
【補正の内容】
【０１２９】
実施の形態２１
本発明の請求項１、２、６にかかわる実施の形態を図１２に基づいて説明する。図１２は実施の形態２１にかかわる下水排除システムを示す構成図である。
【手続補正３３】
【補正対象書類名】明細書
【補正対象項目名】０１３４
【補正方法】変更
【補正の内容】
【０１３４】
実施の形態２２
本発明の請求項１、２、６にかかわる他の実施の形態を図１２に基づいて説明する。本実施の形態２２におけるシステムの構成は図１２に示す実施の形態２と同様である。また、動作も実施の形態２１とほぼ同様であるが、コントローラ１０の動作が若干異なる。
【手続補正３４】
【補正対象書類名】明細書
【補正対象項目名】０１３８
【補正方法】変更
【補正の内容】
【０１３８】
実施の形態２３
本発明の請求項１、２、４にかかわる実施の形態を図１３に基づいて説明する。図１３は実施の形態２３にかかわる下水排除システムを示す構成図である。
【手続補正３５】
【補正対象書類名】明細書
【補正対象項目名】０１４４
【補正方法】変更
【補正の内容】
【０１４４】
実施の形態２４
本発明の請求項１、２、３、４にかかわる実施の形態を図１４に基づいて説明する。図１４は実施の形態２４にかかわる下水排除システムを示す構成図である。
【手続補正３６】
【補正対象書類名】明細書
【補正対象項目名】０１５０
【補正方法】変更
【補正の内容】
【０１５０】
実施の形態２５
本発明の請求項１、２、４、５にかかわる実施の形態を図１５に基づいて説明する。図１５は実施の形態２５にかかわる下水排除システムを示す構成図である。
【手続補正３７】
【補正対象書類名】明細書
【補正対象項目名】０１５６
【補正方法】変更
【補正の内容】
【０１５６】
実施の形態２６
本発明の請求項１、２、３、４、５にかかわる実施の形態を図１６に基づいて説明する。図１６は実施の形態２６にかかわる下水排除システムを示す構成図である。
【手続補正３８】
【補正対象書類名】明細書
【補正対象項目名】０１６２
【補正方法】変更
【補正の内容】
【０１６２】
実施の形態２７
本発明の請求項１、２、４にかかわる実施の形態を図１７に基づいて説明する。図１７は実施の形態２７にかかわる下水排除システムを示す構成図である。
【手続補正３９】
【補正対象書類名】明細書
【補正対象項目名】０１６８
【補正方法】変更
【補正の内容】
【０１６８】
実施の形態２８
本発明の請求項１、２、３、４にかかわる実施の形態を図１８に基づいて説明する。図１８は実施の形態２８にかかわる下水排除システムを示す構成図である。
【手続補正４０】
【補正対象書類名】明細書
【補正対象項目名】０１７４
【補正方法】変更
【補正の内容】
【０１７４】
実施の形態２９
本発明の請求項１、２、４、５にかかわる実施の形態を図１９に基づいて説明する。図１９は実施の形態２９にかかわる下水排除システムを示す構成図である。
【手続補正４１】
【補正対象書類名】明細書
【補正対象項目名】０１８０
【補正方法】変更
【補正の内容】
【０１８０】
実施の形態３０
本発明の請求項１、２、３、４、５にかかわる実施の形態を図２０に基づいて説明する。図２０は実施の形態３０にかかわる下水排除システムを示す構成図である。
【手続補正４２】
【補正対象書類名】明細書
【補正対象項目名】０１８６
【補正方法】変更
【補正の内容】
【０１８６】
実施の形態３１
本発明の請求項１、２、４にかかわる実施の形態を図２１に基づいて説明する。図２１は実施の形態３１にかかわる下水排除システムを示す構成図である。
【手続補正４３】
【補正対象書類名】明細書
【補正対象項目名】０１９２
【補正方法】変更
【補正の内容】
【０１９２】
実施の形態３２
本発明の請求項１、２、３、４にかかわる実施の形態を図２２に基づいて説明する。図２２は実施の形態３２にかかわる下水排除システムを示す構成図である。
【手続補正４４】
【補正対象書類名】明細書
【補正対象項目名】０１９８
【補正方法】変更
【補正の内容】
【０１９８】
実施の形態３３
本発明の請求項１、２、４、５にかかわる実施の形態を図２３に基づいて説明する。図２３は実施の形態３３にかかわる下水排除システムを示す構成図である。
【手続補正４５】
【補正対象書類名】明細書
【補正対象項目名】０２０４
【補正方法】変更
【補正の内容】
【０２０４】
実施の形態３４
本発明の請求項１、２、３、４、５にかかわる実施の形態を図２４に基づいて説明する。図２４は実施の形態３４にかかわる下水排除システムを示す構成図である。
【手続補正４６】
【補正対象書類名】明細書
【補正対象項目名】０２１０
【補正方法】変更
【補正の内容】
【０２１０】
実施の形態３５
本発明の請求項１、２、５にかかわる実施の形態を図２５に基づいて説明する。図２５は実施の形態３５にかかわる下水排除システムを示す構成図である。
【手続補正４７】
【補正対象書類名】明細書
【補正対象項目名】０２１６
【補正方法】変更
【補正の内容】
【０２１６】
実施の形態３６
本発明の請求項１、２、３、５にかかわる実施の形態を図２６に基づいて説明する。図２６は実施の形態３６にかかわる実施の形態を示す構成図である。
【手続補正４８】
【補正対象書類名】明細書
【補正対象項目名】０２２２
【補正方法】変更
【補正の内容】
【０２２２】
実施の形態３７
本発明の請求項１、２、５にかかわる実施の形態を図２７に基づいて説明する。図２７は実施の形態３７にかかわる下水排除システムを示す構成図である。
【手続補正４９】
【補正対象書類名】明細書
【補正対象項目名】０２２８
【補正方法】変更
【補正の内容】
【０２２８】
実施の形態３８
本発明の請求項１、２、３、５にかかわる実施の形態を図２８に基づいて説明する。図２８は実施の形態３８にかかわる下水排除システムを示す構成図である。
【手続補正５０】
【補正対象書類名】明細書
【補正対象項目名】０２３４
【補正方法】変更
【補正の内容】
【０２３４】
実施の形態３９
本発明の請求項１、２、５にかかわる実施の形態を図２９に基づいて説明する。図２９は実施の形態３９にかかわる下水排除システムを示す構成図である。
【手続補正５１】
【補正対象書類名】明細書
【補正対象項目名】０２４０
【補正方法】変更
【補正の内容】
【０２４０】
実施の形態４０
本発明の請求項１、２、３、５にかかわる実施の形態を図３０に基づいて説明する。図３０は実施の形態４０にかかわる下水排除システムを示す構成図である。
【手続補正５２】
【補正対象書類名】明細書
【補正対象項目名】０２４６
【補正方法】変更
【補正の内容】
【０２４６】
実施の形態４１
本発明の請求項１、２、５、６にかかわる実施の形態を図３１に基づいて説明する。図３１は実施の形態４１にかかわる下水排除システムを示す構成図である。
【手続補正５３】
【補正対象書類名】明細書
【補正対象項目名】０２５２
【補正方法】変更
【補正の内容】
【０２５２】
実施の形態４２
本発明の請求項１、２、３、５、６にかかわる実施の形態を図３２に基づいて説明する。図３２は実施の形態４２にかかわる下水排除システムを示す構成図である。
【手続補正５４】
【補正対象書類名】明細書
【補正対象項目名】０２５８
【補正方法】変更
【補正の内容】
【０２５８】
実施の形態４３
本発明の請求項１、２、５、６にかかわる実施の形態を図３３に基づいて説明する。図３３は実施の形態４３にかかわる下水排除システムを示す構成図である。
【手続補正５５】
【補正対象書類名】明細書
【補正対象項目名】０２６４
【補正方法】変更
【補正の内容】
【０２６４】
実施の形態４４
本発明の請求項１、２、３、５、６にかかわる実施の形態を図３４に基づいて説明する。図３４は実施の形態４４にかかわる下水排除システムを示す構成図である。
【手続補正５６】
【補正対象書類名】明細書
【補正対象項目名】０２７０
【補正方法】変更
【補正の内容】
【０２７０】
実施の形態４５
本発明の請求項１、２、５、６にかかわる実施の形態を図３５に基づいて説明する。図３５は実施の形態４５にかかわる下水排除システムを示す構成図である。
【手続補正５７】
【補正対象書類名】明細書
【補正対象項目名】０２７６
【補正方法】変更
【補正の内容】
【０２７６】
実施の形態４６
本発明の請求項１、２、３、５、６にかかわる実施の形態を図３６に基づいて説明する。図３６は実施の形態４６にかかわる下水排除システムを示す構成図である。
【手続補正５８】
【補正対象書類名】明細書
【補正対象項目名】０２８２
【補正方法】変更
【補正の内容】
【０２８２】
実施の形態４７
本発明の請求項１、２、５、６にかかわる実施の形態を図３７に基づいて説明する。図３７は実施の形態４７にかかわる下水排除システムを示す構成図である。
【手続補正５９】
【補正対象書類名】明細書
【補正対象項目名】０２８８
【補正方法】変更
【補正の内容】
【０２８８】
実施の形態４８
本発明の請求項１、２、３、５、６にかかわる実施の形態を図３８に基づいて説明する。図３８は実施の形態４８にかかわる下水排除システムを示す構成図である。
【手続補正６０】
【補正対象書類名】明細書
【補正対象項目名】０３００
【補正方法】変更
【補正の内容】
【０３００】
実施の形態５０
本発明の請求項１、３、４にかかわる実施の形態を図４０に基づいて説明する。図４０は実施の形態５０にかかわる下水排除システムを示す構成図である。
【手続補正６１】
【補正対象書類名】明細書
【補正対象項目名】０３０６
【補正方法】変更
【補正の内容】
【０３０６】
実施の形態５１
本発明の請求項１、３、４にかかわる実施の形態を図４１に基づいて説明する。図４１は実施の形態５１にかかわる下水排除システムを示す構成図である。
【手続補正６２】
【補正対象書類名】明細書
【補正対象項目名】０３１２
【補正方法】変更
【補正の内容】
【０３１２】
実施の形態５２
本発明の請求項１、３、４にかかわる実施の形態を図４２に基づいて説明する。図４２は実施の形態５２にかかわる下水排除システムを示す構成図である。
【手続補正６３】
【補正対象書類名】明細書
【補正対象項目名】０３１８
【補正方法】変更
【補正の内容】
【０３１８】
実施の形態５３
本発明の請求項１、３、５にかかわる実施の形態を図４３に基づいて説明する。図４３は実施の形態５３にかかわる下水排除システムを示す構成図である。
【手続補正６４】
【補正対象書類名】明細書
【補正対象項目名】０３２４
【補正方法】変更
【補正の内容】
【０３２４】
実施の形態５４
本発明の請求項１、３、５にかかわる実施の形態を図４４に基づいて説明する。図４４は実施の形態５４にかかわる下水排除システムを示す構成図である。
【手続補正６５】
【補正対象書類名】明細書
【補正対象項目名】０３３０
【補正方法】変更
【補正の内容】
【０３３０】
実施の形態５５
本発明の請求項１、３、５にかかわる実施の形態を図４５に基づいて説明する。図４５は実施の形態５５にかかわる下水排除システムを示す構成図である。
【手続補正６６】
【補正対象書類名】明細書
【補正対象項目名】０３３６
【補正方法】変更
【補正の内容】
【０３３６】
実施の形態５６
本発明の請求項１、３、５にかかわる実施の形態を図４６に基づいて説明する。図４６は実施の形態５６にかかわる下水排除システムを示す構成図である。
【手続補正６７】
【補正対象書類名】明細書
【補正対象項目名】０３４２
【補正方法】変更
【補正の内容】
【０３４２】
実施の形態５７
本発明の請求項１、４にかかわる実施の形態を図４７に基づいて説明する。図４７は実施の形態５７にかかわる下水排除システムを示す構成図である。
【手続補正６８】
【補正対象書類名】明細書
【補正対象項目名】０３４８
【補正方法】変更
【補正の内容】
【０３４８】
実施の形態５８
本発明の請求項１、３、４にかかわる実施の形態を図４８に基づいて説明する。図４８は実施の形態５８にかかわる下水排除システムを示す構成図である。
【手続補正６９】
【補正対象書類名】明細書
【補正対象項目名】０３５４
【補正方法】変更
【補正の内容】
【０３５４】
実施の形態５９
本発明の請求項１、４、５にかかわる実施の形態を図４９に基づいて説明する。図４９は実施の形態５９にかかわる下水排除システムを示す構成図である。
【手続補正７０】
【補正対象書類名】明細書
【補正対象項目名】０３６０
【補正方法】変更
【補正の内容】
【０３６０】
実施の形態６０
本発明の請求項１、３、４、５にかかわる実施の形態を図５０に基づいて説明する。図５０は実施の形態６０にかかわる下水排除システムを示す構成図である。
【手続補正７１】
【補正対象書類名】明細書
【補正対象項目名】０３６６
【補正方法】変更
【補正の内容】
【０３６６】
実施の形態６１
本発明の請求項１、４にかかわる実施の形態を図５１に基づいて説明する。図５１は実施の形態６１にかかわる下水排除システムを示す構成図である。
【手続補正７２】
【補正対象書類名】明細書
【補正対象項目名】０３７２
【補正方法】変更
【補正の内容】
【０３７２】
実施の形態６２
本発明の請求項１、３、４にかかわる実施の形態を図５２に基づいて説明する。図５２は実施の形態６２にかかわる下水排除システムを示す構成図である。
【手続補正７３】
【補正対象書類名】明細書
【補正対象項目名】０３７８
【補正方法】変更
【補正の内容】
【０３７８】
実施の形態６３
本発明の請求項１、４、５にかかわる実施の形態を図５３に基づいて説明する。図５３は実施の形態６３にかかわる下水排除システムを示す構成図である。
【手続補正７４】
【補正対象書類名】明細書
【補正対象項目名】０３８４
【補正方法】変更
【補正の内容】
【０３８４】
実施の形態６４
本発明の請求項１、３、４、５にかかわる実施の形態を図５４に基づいて説明する。図５４は実施の形態６４にかかわる下水排除システムを示す構成図である。
【手続補正７５】
【補正対象書類名】明細書
【補正対象項目名】０３９０
【補正方法】変更
【補正の内容】
【０３９０】
実施の形態６５
本発明の請求項１、４にかかわる実施の形態を図５５に基づいて説明する。図５５は実施の形態６５にかかわる下水排除システムを示す構成図である。
【手続補正７６】
【補正対象書類名】明細書
【補正対象項目名】０３９６
【補正方法】変更
【補正の内容】
【０３９６】
実施の形態６６
本発明の請求項１、３、４にかかわる実施の形態を図５６に基づいて説明する。図５６は実施の形態６６にかかわる下水排除システムを示す構成図である。
【手続補正７７】
【補正対象書類名】明細書
【補正対象項目名】０４０２
【補正方法】変更
【補正の内容】
【０４０２】
実施の形態６７
本発明の請求項１、４、５にかかわる実施の形態を図５７に基づいて説明する。図５７は実施の形態６７にかかわる下水排除システムを示す構成図である。
【手続補正７８】
【補正対象書類名】明細書
【補正対象項目名】０４０８
【補正方法】変更
【補正の内容】
【０４０８】
実施の形態６８
本発明の請求項１、３、４、５にかかわる実施の形態を図５８に基づいて説明する。図５８は実施の形態６８にかかわる下水排除システムを示す構成図である。
【手続補正７９】
【補正対象書類名】明細書
【補正対象項目名】０４１４
【補正方法】変更
【補正の内容】
【０４１４】
実施の形態６９
本発明の請求項１、５にかかわる実施の形態を図５９に基づいて説明する。図５９は実施の形態６９にかかわる下水排除システムを示す構成図である。
【手続補正８０】
【補正対象書類名】明細書
【補正対象項目名】０４２０
【補正方法】変更
【補正の内容】
【０４２０】
実施の形態７０
本発明の請求項１、３、５にかかわる実施の形態を図６０に基づいて説明する。図６０は実施の形態７０にかかわる下水排除システムを示す構成図である。
【手続補正８１】
【補正対象書類名】明細書
【補正対象項目名】０４２６
【補正方法】変更
【補正の内容】
【０４２６】
実施の形態７１
本発明の請求項１、５にかかわる実施の形態を図６１に基づいて説明する。図６１は実施の形態７１にかかわる下水排除システムを示す構成図である。
【手続補正８２】
【補正対象書類名】明細書
【補正対象項目名】０４３２
【補正方法】変更
【補正の内容】
【０４３２】
実施の形態７２
本発明の請求項１、３、５にかかわる実施の形態を図６２に基づいて説明する。図６２は実施の形態７２にかかわる下水排除システムを示す構成図である。
【手続補正８３】
【補正対象書類名】明細書
【補正対象項目名】０４３８
【補正方法】変更
【補正の内容】
【０４３８】
実施の形態７３
本発明の請求項１、５にかかわる実施の形態を図６３に基づいて説明する。図６３は実施の形態７３にかかわる下水排除システムを示す構成図である。
【手続補正８４】
【補正対象書類名】明細書
【補正対象項目名】０４４４
【補正方法】変更
【補正の内容】
【０４４４】
実施の形態７４
本発明の請求項１、３、５にかかわる他の実施の形態を図６４に基づいて説明する。
【手続補正８５】
【補正対象書類名】明細書
【補正対象項目名】０４５６
【補正方法】変更
【補正の内容】
【０４５６】
本発明の請求項４にかかわる下水排除システムは、請求項２または３におけるデータ計測手段を、雨水吐室に流入する下水、雨水吐室から越流する下水、雨水吐室に接続した遮集管を流れる下水、または雨水吐室から下水が越流する河川のうちの少なくとも１つの水中の汚濁負荷量を計測する手段とするので、河川水質を悪化させることなく、また下水処理場への流入下水量を増大させることなく雨天時の下水を排除できるとともに、より精緻に河川への汚濁物質の流出量を制御できるという効果を奏する。
【手続補正８６】
【補正対象書類名】明細書
【補正対象項目名】０４５７
【補正方法】変更
【補正の内容】
【０４５７】
本発明の請求項５にかかわる下水排除システムは、請求項２または３におけるデータ計測手段を、雨水吐室に流入する下水、雨水吐室から越流する下水、雨水吐室に接続した遮集管を流れる下水、または雨水吐室から下水が越流する河川のうちの少なくとも１つの水の流量を計測する手段とするので、河川水質を悪化させることなく、また下水処理場への流入下水量を増大させることなく雨天時の下水を排除できるとともに、より精緻に河川への汚濁物質の流出量を制御できるという効果を奏する。
【手続補正８７】
【補正対象書類名】明細書
【補正対象項目名】０４５８
【補正方法】変更
【補正の内容】
【０４５８】
本発明の請求項６にかかわる下水排除システムは、請求項２または３におけるデータ計測手段を、雨水吐室に流入する下水、雨水吐室から越流する下水、雨水吐室に接続した遮集管を流れる下水、または雨水吐室から下水が越流する河川のうちの少なくとも１つの水中の汚濁負荷量を計測する手段とするので、河川水質を悪化させることなく、また下水処理場への流入下水量を増大させることなく雨天時の下水を排除できるとともに、より精緻に河川への汚濁物質の流出量を制御できるという効果を奏する。
【手続補正８８】
【補正対象書類名】明細書
【補正対象項目名】０４５９
【補正方法】削除
【補正の内容】
【手続補正８９】
【補正対象書類名】明細書
【補正対象項目名】０４６０
【補正方法】削除
【補正の内容】
【手続補正９０】
【補正対象書類名】明細書
【補正対象項目名】０４６１
【補正方法】削除
【補正の内容】
【手続補正９１】
【補正対象書類名】明細書
【補正対象項目名】０４６２
【補正方法】削除
【補正の内容】
【手続補正９２】
【補正対象書類名】明細書
【補正対象項目名】０４６３
【補正方法】削除
【補正の内容】
【手続補正９３】
【補正対象書類名】明細書
【補正対象項目名】０４６４
【補正方法】削除
【補正の内容】
【手続補正９４】
【補正対象書類名】明細書
【補正対象項目名】０４６５
【補正方法】削除
【補正の内容】
【手続補正９５】
【補正対象書類名】明細書
【補正対象項目名】０４６６
【補正方法】削除
【補正の内容】
【手続補正９６】
【補正対象書類名】明細書
【補正対象項目名】０４６７
【補正方法】削除
【補正の内容】